(57)【要約】【課題】雨水が室内側に吹き込まないようにした場合でも、サッシ窓の室内側面に生じた結露水や浸入した雨水などの雨水等を排水して室内側に流れ込まないようにできるサッシ窓の換気装置とする。【解決手段】カーテンウオールの窓部２（サッシ窓）を構成する横枠材４を、室外側開口７ａと室内側開口７ｂを有する換気孔７を有する形態とし、この横枠材４に換気蓋８を、前記換気孔７の室内外側方向の中間部を開閉自在に取付け、前記換気孔７における閉じ状態の換気蓋８よりも室内側寄りに排水部９を形成し、この換気蓋８で換気孔７の室内外側方向の中間部を閉じた状態でも室内側開口７ｂから流れ込んだ雨水等を排水部９から排水できるようにしたサッシ窓の換気装置。【選択図】図３
2005290689.tif 000002
【特許請求の範囲】
【請求項１】
サッシ窓の横枠材を、室外側開口で室外側に開口し、室内側開口で室内側に開口した換気孔を有する形態とし、
前記横枠材に、その換気孔の室内外側方向の中間部を開閉する換気蓋を取付け、
前記換気孔における閉じ状態の換気蓋よりも室内側寄りに排水部を形成したことを特徴とするサッシ窓の換気装置。
【請求項２】
サッシ窓の横枠材を、室外側開口で室外側に開口した室外側換気孔と、室内側開口で室内側に開口した室内側換気孔が中間開口で連通した換気孔を有する形態とし、
前記横枠材に、前記中間開口を開閉する換気蓋を取付け、
前記室内側換気孔の下部に排水部を形成したことを特徴とするサッシ窓の換気装置。
【請求項３】
横枠材は、その上部の室外側にパネル装着部、室内側に換気孔の室内側開口をそれぞれ有し、かつ下部の室外側に換気孔の室外側開口を有する形態である請求項１又は２記載のサッシ窓の換気装置。
【請求項４】
室内側開口は、横枠材の室内側上部に長手方向にわたり形成した凹溝と、この凹溝の底部に形成した開口と、前記凹溝の上部に設けた目隠しパネルで構成した請求３記載のサッシ窓の換気装置。
【請求項５】
横枠材は、上部の室外側にパネル装着部、室内側に換気孔の室内側開口をそれぞれ有する第１横材と、この第１横材の室内側寄り下部に連結材で連結した第２横材と、前記第１横材の室外側部に取付けたカバー材を備え、
前記第１横材の室内側部分と第２横材で室内側換気孔と中間開口をそれぞれ形成し、前記カバー材が中間開口よりも室外側に位置して室外側換気孔を形成している請求３記載のサッシ窓の換気装置。
【発明の詳細な説明】
【技術分野】
【０００１】
本発明は、カーテンウオールの窓部や住宅の窓部等を構成するサッシ窓の換気装置に関する。
【背景技術】
【０００２】
カーテンウオールの窓部を構成するサッシ窓の換気装置が特許文献１に開示されている。
具体的にはサッシ窓の下枠部分に、室外側開口と室内側開口を備えた換気孔を形成し、その室内側開口に換気蓋を設け、この換気蓋を開放することで室内側と室外側に空気が流通して室内を自然換気し、前記換気蓋を閉じることで雨水が室内側に吹き込まないようにした換気装置である。
【０００３】
【特許文献１】特開２００３−２５３７７９号公報
【発明の開示】
【発明が解決しようとする課題】
【０００４】
前述のサッシ窓の室内側面には結露が発生することがあるし、強風雨により室内側に雨水が浸入することがあり、この結露水や雨水（以下雨水等という）が室内側に流れ込まないようにすることが大切である。
例えば、前述した従来の換気装置の換気孔を利用して雨水等を排水し、その雨水等が室内側に流れ込まないようにすることが考えられる。
しかしながら、前述の従来の換気装置は、換気孔の室内側開口に換気蓋が設けてあるので、その換気蓋を閉じて雨水が室内側に吹き込まないようにした場合には、前述のように雨水等を換気孔を利用して排水できない。
【０００５】
本発明は、前述の課題に鑑みなされたものであり、その目的は、室内を自然換気できること、雨水が室内側に吹き込まないようにできること、サッシ窓の室内側面に発生した結露水や強風雨により室内側に浸入した雨水などの雨水等を、前述のように雨水が室内側に吹き込まないようにした場合でも排水できることを満足したサッシ窓の換気装置を提供することである。
【課題を解決するための手段】
【０００６】
第１の発明は、サッシ窓の横枠材を、室外側開口で室外側に開口し、室内側開口で室内側に開口した換気孔を有する形態とし、
前記横枠材に、その換気孔の室内外側方向の中間部を開閉する換気蓋を取付け、
前記換気孔における閉じ状態の換気蓋よりも室内側寄りに排水部を形成したことを特徴とするサッシ窓の換気装置である。
【０００７】
第２の発明は、サッシ窓の横枠材を、室外側開口で室外側に開口した室外側換気孔と、室内側開口で室内側に開口した室内側換気孔が中間開口で連通した換気孔を有する形態とし、
前記横枠材に、前記中間開口を開閉する換気蓋を取付け、
前記室内側換気孔の下部に排水部を形成したことを特徴とするサッシ窓の換気装置である。
【０００８】
前記横枠材は、その上部の室外側にパネル装着部、室内側に換気孔の室内側開口をそれぞれ有し、かつ下部の室外側に換気孔の室外側開口を有する形態であることが好ましい。このようにすれば、サッシ窓の室内側面の結露水が換気孔の室内側開口に流れ込むので、スムーズに排水できる。
【０００９】
前述の室内側開口は、横枠材の室内側上部に長手方向にわたり形成した凹溝と、この凹溝の底部に形成した開口と、前記凹溝の上部に設けた目隠しパネルで構成することが好ましい。
このようにすることで、縦枠材の結露が室内の床や腰部に溜まることなく、目隠しパネルの下に流れていき、意匠性が良い。
【００１０】
前述の横枠材は、上部の室外側にパネル装着部、室内側に換気孔の室内側開口をそれぞれ有する第１横材と、この第１横材の室内側寄り下部に連結材で連結した第２横材と、前記第１横材の室外側部に取付けたカバー材を備え、
前記第１横材の室内側部分と第２横材で室内側換気孔と中間開口をそれぞれ形成し、前記カバー材が中間開口よりも室外側に位置して室外側換気孔を形成している形態であることが好ましい。
このようにすれば、第１・第２横材を連結材で連結し、カバー材を取付けることで換気孔を有する横部材とすることができる。
【発明の効果】
【００１１】
請求項１に係る発明によれば、換気蓋で換気孔の室内外側方向の中間部を閉じることで、雨水が換気孔を通って室内側に吹き込むことがない。
また、換気孔の室内外側方向の中間部を開放すれば、室内側を自然換気できる。
また、サッシ窓の室内側面に発生した結露水や強風雨により室内側に浸入した雨水などの雨水等は、室内側開口から換気孔に流れ込み、閉じ状態の換気蓋よりも室内側寄りの排水部から排水されるので、換気蓋を閉じ状態として雨水が室内側に吹き込むことがないようにした場合でも、前述の雨水等を排水でき、その雨水等が室内側に流れることがない。
【００１２】
請求項２に係る発明によれば、換気蓋で換気孔の中間開口を閉じることで、室外側換気孔に吹き込んだ雨水が室内側換気孔には吹き込むことがなく、雨水が換気孔を通って室内側に吹き込むことがない。
また、換気孔の中間開口を開放して室外側換気孔と室内側換気孔を連通すれば、室内側を自然換気できる。
また、サッシ窓の室内側面に発生した結露水や強風雨で浸入した雨水などの雨水等は、室内側開口から室内側換気孔に流れ込み、中間開口が換気蓋で閉じられていてもその下部の排水部から排水されるから、前述のように雨水が室内側に吹き込まないようにした場合でも前述の雨水等を排水できる。
【発明を実施するための最良の形態】
【００１３】
図１と図２に示すように、上下に離隔したＰＣ板１と、そのＰＣ板１間に取付けた窓部２でカーテンウオールを構成し、その窓部２は左右の縦枠材（方立）３と複数の横枠材４で方形枠部５を形成し、その方形枠部５にパネル６、例えば複層ガラスを装着したもので、この窓部２が本発明のサッシ窓である。
前記横枠材４、好ましくは最下部の横枠材４に換気孔７と換気蓋８を設けて換気装置を構成している。
【００１４】
前記換気孔７は、図３に示すように室外側開口７ａと室内側開口７ｂを有し、その換気孔７の室内外側方向の中間部が換気蓋８で開閉される。
この換気蓋８で換気孔７の室内外側方向の中間部を閉じると室外側開口７ａと室内側開口７ｂが遮断され、雨水が室内側に吹き込まない。
また、換気蓋８で換気孔７の室内外側方向の中間部を開放すると室外側開口７ａと室内側開口７ｂが連通し、室内側と室外側に空気が流通し、室内側を自然換気できる。
【００１５】
前記換気孔７における閉じ状態の換気蓋８よりも室内側開口７ｂ寄り部分（室内側寄り部分）には排水部９が設けてある。例えば、排水穴９ａに逆流防止用の排水用フィルター９ｂを嵌合して取付けて排水部９としてある。
このようであるから、前述の窓部２の室内側面に生じた結露水や、強風雨で室内側に浸入した雨水など（つまり、雨水等）は室内側開口７ｂから換気孔７内に流れ込み、排水部９から排水される。
【００１６】
前述の説明において、換気孔７の室内側開口７ｂは横枠材４の上面に開口し、前述した雨水等が流れ込み易くすることが好ましい。例えば、横枠材４の室内側上部には長手方向全長にわたる凹溝４ａを有し、この凹溝４ａの底部に開口４ｂを形成し、その凹溝上部に目隠しパネル４ｃを設けて室内側開口７ｂとする。
また、室外側開口７ａは横枠材４の下面に開口し、強風雨の影響をうけづらくすることが好ましい。
また、前記排水部９は流れ込んだ雨水等を室外側に排水することが好ましい。
【００１７】
前記換気孔７の好ましい形態を説明する。
図３に示すように、室外側開口７ａに連通した室外側換気孔１０と室内側開口７ｂに連通した室内側換気孔１１を中間開口７ｃで連通して換気孔７とする。この中間開口７ｃは室内側換気孔１１の最下部よりも上方に位置する。
前記換気蓋８で中間開口７ｃを開閉自在とする。
前記室内側換気孔１１の下部、好ましくは最下部に排水部９を形成する。
前記換気蓋８は中間開口７ｃを閉じた状態で室内側換気孔１１との面外方向（室内外側方向）のオーバーラップ寸法を小さく、かつ排水部９よりも室外側に位置する。
このようにすることで、室内側開口７ｂから室内側換気孔１１に流れ込んだ雨水等をスムーズに排水できるし、雨水が室内側に吹き込むことを確実に防止できる。
【００１８】
前記換気蓋８は、ヒンジ１２で横枠材４に開閉自在に取付けられ、回転軸１３にアーム１４を取付け、このアーム１４に回動自在に連結したリンク１５を換気蓋８に回動自在に連結してある。この換気蓋８は中空形材８ａに断熱材８ｂを充填したものであるが、これに限ることはない。
そして、回転軸１３を所定角度だけ正逆方向に回転してアーム１４を揺動することで換気蓋８がヒンジ１２を中心に開・閉動作するようにしてある。
前述のヒンジ１２、回転軸１３は、前述の室内側換気孔１１内に設けることが好ましいが、他の部分に取付けても良い。
【００１９】
前記換気孔７を有する横枠材４は、図３に示すように第１横材２０の室内側寄り下部に第２横材３０を連結材４０で連結し、その第１横材２０の室外側部にカバー材５０を取付けた形態である。
前記第１横材２０は、横板２１の上面に室外側上向凹部２２（パネル装着部）と室内側上向凹部２３（前述の凹溝４ａ）を有し、その横板２１の下面部に室外側係止受片２４、第１・第２中間垂下片２５，２６、室内側垂下片２７を有する断面形状の長尺材である。
前記横板２１の室内側部分（室内側上向凹部２３を形成する部分）には開口２８（前述の開口４ｂ）が形成され、この開口２８で室内側上向凹部２３が第２中間垂下片２６と室内側垂下片２７との間の空間部２９に連通して前述の室内側開口７ｂを有する室内側換気孔１１を構成する。なお、前記開口２８は第１横材２０の長さに比べて著しく短く、その横板２１の長手方向に間隔を置いて複数形成してある。
【００２０】
前記第２横材３０は、横板３１と室外側立上り片３２と中間立上り片３３と室内側立上り片３４と垂下片３５を有する断面形状の長尺材で、その室外側立上り片３２の室外側面と第１横材２０の第１中間垂下片２５の室外側面に連結材４０を接してビス４１，４２でそれぞれ固着される。
そして、室外側立上り片３２、中間立上り片３３、室内側立上り片３４と第１横材２０の第１中間垂下片２５、第２中間垂下片２６、室内側垂下片２７が面外方向に同一位置で、上下方向に離隔して対向する。
前記第１中間垂下片２５と室外側立上り片３２との間、第２中間垂下片２６と中間立上り片３３との間が前述の中間開口７ｃを形成する。
前記室内側垂下片２７と室内側立上り片３４との間が気密材３６で気密されて第１横材２０の室内側部分と第２横材３０で室内側換気孔１１を形成する。
【００２１】
前記連結材４０は角パイプ形状で、第１・第２横材２０，３０における長手方向に間隔を置いて複数固着してある。
例えば、連結材４０の上端面を第１横材２０の室外側下面に接してビス４１で固着し、その室内側面の下部寄りを室外側立上り片３２に接してビス４２で固着する。
【００２２】
前記カバー材５０は、前記中間開口７ｃよりも室外側に位置して室外側換気孔１０を形成している。具体的には、前記カバー材５０は縦板５１と下横板５２で断面ほぼＬ字形状の長尺材で、その縦板５１の上部に上係止片５３を有すると共に、縦板５１の室外側面に鉤片５４を有する。
前記上係止片５３を第１横材２０の室外側係止受部２４に係合すると共に、下横板５２の室内側端部を第２横材３０の垂下片３５にビス５５で固着して取付ける。
この下横板５２に開口５６を形成し、縦板５１と第１横材２０の室外側寄り下面と第１中間垂下片２５と第２横材３０の室外側立上り片３２で室外側換気孔１０を形成する。
【００２３】
前記横板２１の開口２８には防虫ネット６０が取付けてあり、前記下横板５２の開口５６にはアルミエキスパンドメタルなどの防鳥ネット６１が取付けてある。
前記第１横材２０の室内側上向凹部２３、つまり換気孔７の室内側開口７ｂにはグリル６２が取付けてある。このグリル６２が前述の目隠しパネル４ｃに相当する。
【００２４】
前記横枠材４の換気孔７の長手方向両端部は開口しているので、図４に示すように横枠材４の長手方向両端部に縦枠４３を取付けて閉塞している。
例えば、第１横材２０の横板２１の下面部分（第１・第２中間垂下片２５，２６、室内側垂下片２７）における長手方向端部寄りを切断して除去し、その横板２１の下面における長手方向端部に縦枠４３の上端面を突き当ててビスで固着する。
これによって、換気孔７、少なくとも室内側換気孔１１の長手方向両端部を閉塞する。
前記縦枠４３の内面には第１・第２内向片４３ａ，４３ｂが設けてあり、この第１・第２内向片４３ａ，４３ｂが前記第１・第２中間垂下片２５，２６と面外方向に同一位置で、かつ連続して中間開口７ｃを形成する。
そして、換気蓋８が第１・第２内向片４３ａ，４３ｂに気密材を介して接する。
なお、縦枠４３ではなく、ブロックを換気孔７の長手方向両端開口部に嵌合して取付けることで閉塞しても良い。
また、横枠材４を縦枠材３の側面に突き当てて連結することで、その縦枠材３によって換気孔７の長手方向両端開口部を閉塞しても良い。
【００２５】
次に、縦枠材３と横枠材４（最下部の横枠材４）の連結について説明する。
図５、図６、図７に示すように、縦枠材３の下端部と横枠材４がブラケット７０、ボルト・ナット７１で固着されている。
このブラケット７０、ボルト・ナット７１を被覆して目視できないようにするカバー７２が横枠材４の上面に取付けてあり、このカバー７２の上面に雨水等を受けて溜める凹陥部７３が形成してある。ここで、横枠材４の上面とは、前述の横板２１における開口２８が形成してある部分である。
このようであるから、縦枠材３の室内側面の結露水は、その室内側面に沿って流れてカバー７２の凹陥部７３に溜まる。
そして、所定量の結露水が溜まるとオーバーフローして横枠材４の上面に流れ落ち、室内側開口７ｂから換気孔７内に流れ、排水部９から排水される。
よって、スムーズに結露水を排水できる。
【００２６】
前述のことを詳細に説明すると、前記縦枠材３の下端部は、左右の最下部の横枠材４の第１横材２０の横板２１の上方向に跨って位置し、この各横板２１における室内側上向き凹部２３を形成する室内側部分と縦枠材３の面内方向の側面３ａとに亘ってＬ字状のブラケット７０をそれぞれ設け、このブラケット７０と横板２１及びブラケット７０と縦枠材３をボルト・ナット７１でそれぞれ固着する。縦枠材３と左右のブラケット７０を固着するボルト・ナット７１のボルト７１ａは左右のブラケット７０と縦枠材３を貫通して共通としてある。
前記カバー７２は横片７２ａと縦片７２ｂでほぼＬ字形状で、その縦片７２ｂをビス７４で横板２１に固着して取付け、その横片７２ａと縦枠材３の側面３ａ、横枠材４の室内側内向き凹部２３の室内外側面との間を水密材７５でそれぞれ水密する。
【００２７】
前記横板２１の開口２８に防虫ネット６０が枠体６３を介して取付けてある。つまり、枠材６３に防虫ネット６０を張設して網戸状とし、その枠体６３を横板２１にビス６４で固着して取付けている。
このために、枠体６３によって横板２１上の結露水が開口２８まで流れないので、横板２１に排水部７６を設けてある。例えば、横板２１に排水穴７６ａを形成し、その排水穴７６ａに排水フィルター７６ｂを取付けて排水部７６とする。
このようにすることで、枠体６３上の結露水を排水部７６で換気孔７に排水することができる。
【００２８】
図１と図３に示すように、最下部の横枠材４の室内側上端部分にペリカウンター８０が取付けてあり、このペリカウンター８０の室内側端部に目隠しパネル８１が取付けてある。
この目隠しパネル８１とペリカウンター８０で窓部２の下部とＰＣ板１が室内側から見えないようにしてある。
横枠材４の室内側部分（第１横材２０、第２横材３０の室内側部分）に断熱材８２が設けてある。
【００２９】
前述の説明ではサッシ窓をカーテンウオールの窓部としたが、住宅の窓部を構成するサッシ窓でも良い。
【図面の簡単な説明】
【００３０】
【図１】カーテンウオールの一部外観図である。
【図２】図１のＡ−Ａ縦断面図である。
【図３】図２のＢ部拡大図である。
【図４】図３のＣ−Ｃ断面図である。
【図５】図３のＤ−Ｄ断面図である。
【図６】図５のＥ−Ｅ断面図である。
【図７】縦枠材と横枠材の連結部の斜視図である。
【符号の説明】
【００３１】
２…窓部（サッシ窓）、４…横枠材、７…換気孔、７ａ…室外側開口、７ｂ…室内側開口、７ｃ…中間開口、８…換気蓋、９…排水部、１０…室外側換気孔、１１…室内側換気孔、２０…第１横材、３０…第２横材、４０…連結材、５０…カバー材。
【図１】
2005290689.tif 000003
【図２】
2005290689.tif 000004
【図３】
2005290689.tif 000005
【図４】
2005290689.tif 000006
【図５】
2005290689.tif 000007
【図６】
2005290689.tif 000008
【図７】
2005290689.tif 000009